(57)【要約】      （修正有）【課題】サスペンション緩衝機能を備える包装紙箱構造を提供する。【解決手段】外箱装置１０とサスペンション装置２０とを含む。外箱装置１０には側面板があり、その両側にそれぞれ端面板１２を設け、側面板と端面板１２は共に包覆状にして包装紙箱を形成する。サスペンション装置２０はサスペンション片２１、２２を２つ備えた一体形成方式によりそれぞれ側面板の両側端面に設け、外箱装置２０の内側に伸ばして折り曲げＵ字形にして形成され、その折り曲げた部位は端面板１２へ直線的に動く弾性的な振動状態となり、少なくとも一つの打抜き部２３をそれぞれサスペンション片２１、２２に設け、物品３０が所定位置の部位に設置できるようにし、物品３０は包装紙箱内で宙に浮いた状態でかつ各サスペンション片２１、２２の動きにシンクロする。【選択図】図３
0003180682.tif 000002
【実用新案登録請求の範囲】
【請求項１】
外箱装置と、サスペンション装置とを含む、サスペンション緩衝機能を備える包装紙箱構造であって、
前記外箱装置には、側面板が１つあり、その両側にそれぞれ端面板を１つ設け、前記側面板と前記端面板は共に包覆状にして包装紙箱を形成し、
前記サスペンション装置は、サスペンション片２つを備えた一体形成方式によりそれぞれ前記側面板の両側端面に対応する部位に設け、前記外箱装置の内側に伸ばして折り曲げＵ字形にして形成され、その折り曲げた部位は前記端面板へ直線的に動く弾性的な振動状態となり、少なくとも打抜き部１つを、それぞれ前記サスペンション片に設け、物品が所定位置の部位に設置できるようにし、物品は前記包装紙箱内で宙に浮いた状態でかつ各前記サスペンション片の動きにシンクロすることを特徴とするサスペンション緩衝機能を備える包装紙箱構造。
【請求項２】
各前記サスペンション片は、折り曲げた後その自由端はそれぞれ前記側面板の所定壁面の部位に接触することを特徴とする、請求項１に記載のサスペンション緩衝機能を備える包装紙箱構造。
【請求項３】
前記外箱装置は、第１連結部を有し、前記第１連結部は、前記側面板の所定部位に設け、前記側面板１の第１位置に設けた第１差込部と、前記側面板の第２位置に設けた第２差込部とを有し、第１、第２差込部は前記側面板で折り曲げた後、相互に所定位置に差し込み、前記包装紙箱の外形を維持し内部空間を形成することを特徴とする、請求項１に記載のサスペンション緩衝機能を備える包装紙箱構造。
【請求項４】
前記外箱装置は、それぞれ前記側面板の対応する両側に延伸する、第１側延面と第２側延面とを有し、且つ第１連結部を有し、前記第１連結部は、前記第１側延面に設けた第１差込部と、前記側面板の所定部位に設けた第２差込部とを有し、各前記側面板、および前記第１、第２側延面を折り曲げた後、第１、第２差込部は互いに所定位置に差し込み、前記包装紙箱の外形を維持し内部空間を形成することを特徴とする、請求項１に記載のサスペンション緩衝機能を備える包装紙箱構造。
【請求項５】
両側の前記端面板はそれぞれ折り曲げた後、前記側面板の所定部位に少なくとも端延面を１つ設け、しかも第２連結部を有し、前記第２連結部は、前記端延面に設けた第１差込部と、前記側面板上に設けた第２差込部とを有し、前記端延面を折り曲げた後、第１、第２差込部を互いに所定位置に差し込むことを特徴とする、請求項１に記載のサスペンション緩衝機能を備える包装紙箱構造。
【請求項６】
前記第１差込部は局部切込方式で凸部を形成し、前記第２差込部は打ち抜いて前記第１差込部を所定位置に差し込めるように構成することを特徴とする、請求項３乃至５の何れか１項に記載のサスペンション緩衝機能を備える包装紙箱構造。
【請求項７】
前記側面板には包装紙箱の中へ凸状の位置決め突縁を設け、前記位置決め突縁は、各前記サスペンション片を折り曲げた後に、その自由端と当接し、各前記サスペンション片を折り曲げた状態に維持することができることを特徴とする、請求項１に記載のサスペンション緩衝機能を備える包装紙箱構造。
【請求項８】
前記側面板には打抜き展示部を設け、前記打抜き展示部は物品を見ることができることを特徴とする、請求項１に記載のサスペンション緩衝機能を備える包装紙箱構造。
【請求項９】
前記打抜き部は前記サスペンション片を折り曲げた後に自由端の所定部位に近づけることを特徴とする、請求項１に記載のサスペンション緩衝機能を備える包装紙箱構造。
【請求項１０】
前記打抜き部は突歯が囲む打抜き状にすることを特徴とする、請求項１に記載のサスペンション緩衝機能を備える包装紙箱構造。
【請求項１１】
前記打抜き部は十字に打ち抜くことを特徴とする、請求項１に記載のサスペンション緩衝機能を備える包装紙箱構造。
【請求項１２】
前記端面板には局部切込方式で吊り部を設け、前記吊り部に吊り穴を設け、前記吊り部を折り曲げて全構造体と一体で吊り上げ可能な状態にすることを特徴とする、請求項１に記載のサスペンション緩衝機能を備える包装紙箱構造。
【考案の詳細な説明】
【技術分野】
【０００１】
本考案は、包装箱の構造に関し、特にサスペンションを利用して物を置く設計で、緩衝機能を備え、しかも組立が便利で構造は簡単な包装紙箱構造に関するものである。
【背景技術】
【０００２】
従来の緩衝機能を備える包装紙箱構造としては、特許文献１〜３による「包装箱の構造」が挙げられる。しかし、これらの「包装箱の構造」では、以下のような問題点がある。
（１）物品を箱内に固定する方式（以下、固定式と呼ぶ）を採用してその振動を減少することにより、箱にぶつからないようにするため、物品の寸法、形状によって多数の切断金型を用意する必要があり、しかも互換性がなく、コストパフォーマンスも高くなかった。
（２）上記固定式を採用するため、箱および物品が落下するときに、物品の破損をもたらす場合があり、緩衝機能も不十分であった。
【先行技術文献】
【特許文献】
【０００３】
【特許文献１】台湾特許第０９７１０１０３５号公報
【特許文献２】台湾登録実用新案第０９８２００１６９号公報
【特許文献３】台湾登録実用新案第１００２１２１７７号公報
【考案の概要】
【考案が解決しようとする課題】
【０００４】
そこで、本考案の主な目的は、バネ状のサスペンション片を利用し、さらに物品の両端を打抜き部に収容できるようにし、物品を箱内に吊した状態（以下、サスペンション式と呼ぶ）で設置しサスペンション片に従って限定範囲内で直線的に振動し、外箱装置にぶつからない、緩衝機能を備える包装紙箱構造を提供することにある。
【０００５】
また、本考案の次の目的は、サスペンション片および打抜き部が物品と弾力的に変化する打抜き部位で、物品の寸法・形状が所定範囲内で異なっても良く、互換性があり、おのおのの寸法にもとづいて多数の切断金型を設置する必要がなく、それ以外に、組立て包装操作が簡便且つ迅速で、全体的に確かなコストパフォーマンスがある、緩衝機能を備える包装紙箱構造を提供することにある。
【課題を解決するための手段】
【０００６】
上記課題を解決するために、本考案は、外箱装置（１０）と、サスペンション装置（２０）とを含む、サスペンション緩衝機能を備える包装紙箱構造であって、外箱装置（１０）には、側面板（１１）が１つあり、その両側にそれぞれ端面板（１２）を１つ設け、側面板（１１）と端面板（１２）は共に包覆状にして包装紙箱を形成し、サスペンション装置（２０）は、サスペンション片（２１）（２２）を２つ備えた一体形成方式によりそれぞれ側面板（１１）の両側端面に対応する部位に設け、外箱装置（２０）の内側に伸ばして折り曲げＵ字形にして形成され、その折り曲げた部位は端面板（１２）へ直線的に動く弾性的な振動状態となり、少なくとも一つの打抜き部（２３）を、それぞれサスペンション片（２１）（２２）に設け、物品（３０）が所定位置の部位に設置できるようにし、物品（３０）は包装紙箱内で宙に浮いた状態でかつ各サスペンション片（２１）（２２）の動きにシンクロすることを主な特徴とする。
【考案の効果】
【０００７】
本考案に係る「サスペンション緩衝機能を備える包装紙箱構造」は、サスペンション装置（２０）を利用し、「サスペンション式」で物品を箱内に吊した状態で設置し、限定範囲内で直線的に振動し、外箱装置（１０）にぶつかることなく、緩衝機能を備え、さらに打抜き部（２３）が物品（３０）と弾力的に変化することができるので、物品（３０）の寸法が所定範囲内で異なっても良く、互換性があり、多数の切断金型を設置する必要もなく、組立て包装操作が簡便且つ迅速で、全体的に確かなコストパフォーマンスがあるという効果を奏する。
【図面の簡単な説明】
【０００８】
【図１】本考案の好適な実施例１の全体斜視図である。
【図２】本考案の好適な実施例１の展開斜視図である。
【図３】本考案の好適な実施例１の包装組み立て状態（１）を示す斜視図である。
【図４】本考案の好適な実施例１の包装組み立て状態（２）を示す斜視図である。
【図５】本考案の好適な実施例１の包装組み立て状態（３）を示す斜視図である。
【図６】本考案の好適な実施例１の包装組み立て状態（４）を示す斜視図である。
【図７】本考案の好適な実施例１の包装組み立て状態（５）を示す斜視図である。
【図８】本考案の好適な実施例１の包装組み立て状態（６）を示す斜視図である。
【図９】本考案の好適な実施例１の包装組み立て状態（７）を示す断面図である。
【図１０】本考案の好適な実施例１による耐震・耐振を示す模式図である。
【図１１】本考案の好適な実施例１の使用状態を示す斜視図である。
【図１２】本考案の好適な実施例２の包装組み立て済み状態を示す断面図である。
【図１３】本考案の好適な実施例３の全体斜視図である。
【図１４】本考案の好適な実施例３の展開斜視図である。
【図１５】本考案の好適な実施例３の包装組み立て状態を示す斜視図である。
【図１６】本考案の好適な実施例４の全体斜視図である。
【図１７】本考案の好適な実施例４の展開斜視図である。
【図１８】本考案の好適な実施例４の包装組み立て状態（１）を示す斜視図である。
【図１９】本考案の好適な実施例４の包装組み立て状態（２）を示す断面図である。
【考案を実施するための形態】
【０００９】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【実施例１】
【００１０】
まず図１乃至図３を参照。本考案はサスペンション緩衝（又は耐振）機能を備えた包装紙箱構造で、六角柱の外形を活用し、主に外箱装置（１０）と、外箱装置（１０）内に設けたサスペンション装置（２０）を含む。
【００１１】
外箱装置（１０）には、側面板（１１）があり、その両側にはそれぞれ端面板（１２）を設け、側面板（１１）と端面板（１２）で共に包覆状の箱となる。第１側延面（１３）と第２側延面（１４）は、それぞれ側面板（１１）に対応して両側に延伸したものである。２つの端延面（１５）、（１６）は、それぞれ両側の各端面板（１２）に設け、それを折り曲げると側面板（１１）の所定の位置に対応する。第１連結部（１７）は、第１側延面（１３）に設けた第１差込部（１７１）、および側面板（１１）の所定の位置に設けた第２差込部（１７２）からなり、側面板（１１）、および第１、第２側延面（１３）、（１４）を折り曲げて、第１、第２差込部（１７１）、（１７２）が互いに所定の位置で差込まれ、箱の外形を維持し内部空間を作る。第２連結部（１８）は、それぞれ端延面（１５）、（１６）に設けた第１差込部（１８１）、（１８２）、および側面板（１１）に設けた第２差込部（１８３）、（１８４）であり、各端延面（１５）、（１６）を折り曲げて、第１、第２差込部（１８１）、（１８２）、（１８３）、（１８４）を互いに所定の位置に差し込む。第１差込部（１７１）、（１８１）、（１８３）)は局部切込方式で凸部をめくり上げたものである。第２差込部（１７２）、（１８２）、（１８４）は打ち抜き、第１差込部（１７１）、（１８１）、（１８３）をその位置に差し込めるようにする。端面板（１２）に局部切込方式で吊り部（１９）を設け、それに吊り穴（１９１）を設け、吊り部（１９）を折り曲げて全構造体と一体で吊り上げ可能な状態にする。
【００１２】
サスペンション装置（２０）は、２つのサスペンション片（２１）、（２２）を一体形成方式でそれぞれ側面板（１１）に設けた両側端面の対応する位置に設け、それを外箱装置の中へ伸ばし、折り曲げてＵ字型にし、その自由端はそれぞれ側面板（１１）の所定の壁面位置に接触させる。打抜き部（２３）は、丸形に打ち抜き、それぞれサスペンション片（２１）、（２２）を折り曲げて自由端の所定の位置に近づけ、物品（３０）を通して所定の位置に置けるようにして、物品が箱内で宙に浮き吊り上げられた状態となり各サスペンション片の動きとシンクロする。
【００１３】
上記構成部品により、サスペンション装置（２０）を利用して、物品を「サスペンション方式」で箱内に置き、各サスペンション片（２１）、（２２）をバネのように設計して組み合わせ、物品を限定範囲内で自由に揺り動かす事ができ、エネルギー消費がゼロになると停止するため、緩衝機能が働く。同時に打抜き部（２３）は物品（２３）に合わせて自由に調整でき、互換性のある金型は低コストで、かつ全体の構造が簡単で、組立が早く、操作は容易、便利な実用性を得られた。
【００１４】
さらに本考案の構造の特徴は、技術手段および達成を予期した効果についてさらに理解を深めるため、ここに本考案の使用方法を以下の通り説明する。
【００１５】
本考案の製作は、図２を参照。薄板切断加工工程で、切断金型と工作機械を組み合わせ、一体方式で外箱装置（１０）とサスペンション装置（２０）を展開した状態に成形し、うち実線を切断線、点線を折り線とする。第１側延面（１３）、側面板（１１）、および第２側延面（１４）の３者は直線方向に並び、側面板（１１）の両側にあらかじめ設けた部分が対応する端面板（１２）となり、各端面板（１２）の所定の位置にそれぞれ端延面（１５）、（１６）を設ける。端面板（１２）のうち一つに吊り部（１９）を切り出し、その上に吊り穴（１９１）を設ける。そのほか、側面板（１１）の両側の所定位置に対応するサスペンション片（２１）、（２２）を設け、その上にそれぞれ打抜き部（２３）を作る。さらに、切断製造工程で、同時に第１、第２連結部（１７）、（１８）を作り、そのうち第１差込部（１７１）、（１８１）、（１８３）はそれぞれ第１側延面（１３）と端延面（１５）、（１６）に作る。各第２差込部（１７２）、（１８２）、（１８４）はそれぞれ側面板（１１）の所定の位置５カ所に作る。
【００１６】
本考案の物品包装の組立方法は、図３乃至図８を参照。まず各サスペンション片（２１）、（２２）はそれぞれ箱の内部へＵ字形に折る。物品（３０）をその両端でそれぞれ打抜き部（２３）の穴に通し、物品（３０）は打抜き部（２３）に設置した部位へ通し必要に応じて端辺により近い位置かまたは端辺より遠い位置へ任意に設けることができる。第１側延面（１３）、側面板（１１）、および第２側延面（１４）を折り曲げて物品（３０）を包装し、さらに各端面板（１２）を側面板（１１）側に折り曲げて包装する。図４を参照。箱の後方に端延面（１５）、（１６）を折り曲げ、第１差込部（１８１）、（１８３）を第２差込部（１８２）、（１８４）に差し込む。図５乃至図６を参照。箱の前方に別の端延面（１５）、（１６）を折り曲げて、第１差込部（１８１）、（１８３）を所定の位置の第２差込部（１８２）、（１８４）に差し込む。図７を参照。第１側延面（１３）を畳んで第２側延面（１４）の外を覆い、第１差込部（１７１）を所定の位置の第２差込部（１７２）に差し込み、図８に示したとおり包装の組み立てが完成する。
【００１７】
本考案が包装した後の物品の状態は、図９を参照。各サスペンション片（２１）、（２２）を折り曲げ、その自由端は物品の重さで下へ曲がり側面板（１１）の壁面に接触する。また打抜き部（２３）の高さの設置位置を利用し、物品（３０）は箱内で吊られた状態になる。
【００１８】
本考案の耐振又は耐震の状態は、図１０を参照。包装箱と物品が動く時、各サスペンション片はバネの様に復帰する特性があるため、各端面板の方へ所定の範囲で線形的に振動し、物品（３０）もその移動に即シンクロし、物品（３０）がサスペンション状態になり、箱の壁面にぶつかることはない。一方、各サスペンション片（２１）、（２２）が極限まで圧縮できるため、直線移動時に各端面板（１２）にぶつかることはなく、物品（３０）の振動は物理エネルギーがゼロになると停止する。
【００１９】
本考案のサスペンション装置（２０）は切断加工時に一体方式で外箱装置（１０）に作り、バネ状の各サスペンション片（２１）、（２２）と結びつけて設計し、打抜き部（２３）の設置高さと合わせ、物品（３０）を両端の打抜き部（２３）内の所定の位置に固定させると、各サスペンション片（２１）、（２２）に従って線形的移動にシンクロし、物品（３０）は箱の中で「サスペンション」状態となる。各サスペンション片（２１）、（２２）が振動して、自動で往復運動を持続し、運動エネルギーのエネルギー消耗がゼロになると停止し、さらに緩衝の耐振又は耐震機能を備えたことで、良く知られた物品の「固定式」構造によって、緩衝能力が劣る問題を解決した。
【００２０】
本考案の各サスペンション片（２１）、（２２）が折り曲げた状態の時、その折り曲げ部分の空間に物品を通すため、物品（３０）の設置部分の長さに合わせて自ら調整することができ、各サスペンション片（２１）、（２２）もまた伸長と短縮の自動調整機能があり、物品（３０）の伸びる位置に応じられるため、物品（３０）の長さが所定の範囲内で寸法変化しても、すべて同一の箱で互換でき、改めて切断金型を備える必要はなく、製造コストを下げ、良く知られた多くの金型を備え付けなければならないという問題を解決した。一方、使用する物品（３０）の寸法にわずかな差がある場合でも、同一の箱が適用することができるため、他の寸法規格の箱に交換する必要がなく、使用する上で弾力的に調整できる互換機能がある。
【００２１】
本考案は切断製造工程において一体方式で外箱装置（１０）およびサスペンション装置（２０）を作り、しかも全体の構造は簡単で、組み立ては素早く完了し操作も容易で、より良い便利性と実用性を備えている。さらに、発泡スチロールや気泡緩衝材を箱内と物品のすき間に入れる必要がなく、同等の耐震又は耐振の緩衝効果を得られ、包装上のコストを大幅に下げ、環境保護の要求にも適している。
【００２２】
第１、第２連結部（１７）、（１８）は、凸片状をした第１差込部（１７１）、（１８１）、（１８３）で、切抜き状の第２差込部（１７２）、（１８２）、（１８４）内に差し込み、第１、第２側延面（１３）、（１４）は互いに位置を決め、さらに端延面（１２）が覆って側面板（１１）に位置決めし、箱の状態を維持する。操作の上で、本考案の第１、第２連結部（１７）、（１８）の構造設計は、外部を覆って組立方式の位置を完了し、良く知られた詰め込み方式で延伸面を箱の中に押し込む作業に比べ、本考案は包装組み立て作業の速度が早くなり、しかもはめ込み構造はしっかりとして脱離せず、分解の作業もまた良く知られた構造より容易である。
【００２３】
図１１を参照。本考案の吊り部（１９）を外に折り曲げて、吊り穴（１９１）を利用してディスプレイ棚のフックに通し、箱全体で吊り上げ機能を展示する。
【実施例２】
【００２４】
図１２を参照。本考案の実施例２で、側面板（１１）の所定の位置に向けて箱内に凸状の位置決め突縁（１１１）を設けることで、サスペンション片（２１）、（２２）を折り曲げると、自由端打抜きの接触する部位が、各サスペンション片（２１）、（２２）の折り曲げた状態を維持する。位置決め突縁（１１１）は主に打抜き部を提供し、サスペンション片（２１）、（２２）の自由端に位置を限定してそれ以上の伸びを制限するが、サスペンション片（２１）、（２２）の上方は依然線形的な振動状態にあり、位置決め突縁（１１１）の設計がサスペンション片（２１）、（２２）の自由端と側面板（１１）の壁面との接触がより強固になる。
【実施例３】
【００２５】
図１３乃至図１５を参照。本考案の実施例３で、主に三角柱の箱を活用し、そのうち打抜き部（２３）は十字形に打ち抜くことで、例えばＤＲＡＭのような、薄板状の物品を収容できる。端延面（１２）と第２連結部（１８）は収容する数量も変更できる。本実施例は第１側延面（１３）を設けただけで第２側延面（１４）がない。この実施例の包装組み立て、使用方法、および達成する効果の予想は、すべて実施例１と完全に同じである。
【実施例４】
【００２６】
図１６乃至図１９を参照。本考案の実施例４で、主に円柱を活用し、そのうち側面板（１１）の所定部位に打抜き展示部（１１２）を設け、内部の物品を見ることができる部位とする。透明な薄材（４０）は、打抜き展示部（１１２）を覆い、内部を見ることができ防塵効果もある。打抜き部（２３）は凸歯で囲まれた形で、サスペンション片（２１）、（２２）を折り曲げて自由端の所定の部位に近づける。
【００２７】
本実施例のサスペンション片（２１）、（２２）は折り曲げた後の自由端は物品が軽いため、側面板（１１）の壁面に接触せず、物品が宙に浮いた状態となり、各サスペンション片（２１）、（２２）に従って振動する。打抜き部（２３）は凸歯車の設計で、物品（３０）に収容した時一つは収容抵抗を減少させ、もう一方は各凸歯が物品の外縁の曲面に沿って接触するため、打抜き部（２３）の打抜き穴の直径は物品の外径に正確に合わせる必要はなく、所定の範囲内の外径寸法であればすべて順調に収容、打抜きができ、互換性がある。
【００２８】
打抜き展示部（１１２）と透明な薄片（４０）の設計は、内部の物品の状態と規格を確認できる機能がある。この実施例の包装組み立て、使用方式、および達成する効果の予想は、すべて実施例１と完全に同じである。
【００２９】
上記をまとめると、本考案に係る「サスペンション緩衝機能を備える包装紙箱構造」は、「サスペンション式」の耐震・耐振包装箱構造を提供し、バネ状の各サスペンション片を利用し、さらに物品の両端を打抜き部に収容できるようにし、物品を箱内に吊した状態で設置し各サスペンション片に従って限定範囲内で直線的に振動し、外箱装置にぶつかることなく、緩衝機能を備え、さらに各サスペンション片および打抜き部は物品と弾力的に変化する打抜き部位で、物品の寸法が所定範囲内で異なっても良く、互換性があり、おのおのの寸法にもとづいて多数の切断金型を設置する必要はなく、それ以外に、その組立て包装操作は簡便且つ迅速である。またしっかり結合し組み立てに大変便利な包装紙箱構造で、全体的に確かな産業利用性、実用性およびコストパフォーマンスがある。
【符号の説明】
【００３０】
１０：外箱装置
１１：側面板
１１１：位置決め突縁
１１２：打抜き展示部
１２：端面板
１３：第１側延面
１４：第２側延面
１５：端延面
１６：端延面
１７：第１連結部
１７１：第１差込部
１７２：第２差込部
１８：第２連結部
１８１：第１差込部
１８２：第２差込部
１８３：第１差込部
１８４：第２差込部
１９：吊り部
１９１：吊り穴
２０：サスペンション装置
２１：サスペンション片
２２：サスペンション片
２３：打抜き部
３０：物品
４０：透明な薄片
【図１】
0003180682.tif 000003
【図２】
0003180682.tif 000004
【図３】
0003180682.tif 000005
【図４】
0003180682.tif 000006
【図５】
0003180682.tif 000007
【図６】
0003180682.tif 000008
【図７】
0003180682.tif 000009
【図８】
0003180682.tif 000010
【図９】
0003180682.tif 000011
【図１０】
0003180682.tif 000012
【図１１】
0003180682.tif 000013
【図１２】
0003180682.tif 000014
【図１３】
0003180682.tif 000015
【図１４】
0003180682.tif 000016
【図１５】
0003180682.tif 000017
【図１６】
0003180682.tif 000018
【図１７】
0003180682.tif 000019
【図１８】
0003180682.tif 000020
【図１９】
0003180682.tif 000021